(57)【要約】  本発明は、非食品用の装飾具、装飾具に関連するキット、装飾具の製造方法に関する。１つの実施形態において、装飾品は、第１の部分（４６）、遠位の第２の部分（５０）、および第１および第２の部分の間に位置する中間部（４８）を有する非食品を含む。非食品の第１の部分（４６）に、装飾品（６０）が取り付けられる。非食品の第２の部分（５０）に、装飾基部（６２）が取り付けられる。別の実施形態において、装飾品は、非食品の第２の部分まで延在しない。
2008524024.tif 000002
【特許請求の範囲】
【請求項１】
第１の部分、遠位の第２の部分、および前記第１および第２の部分の間に位置する中間部を含む非食品と、
前記非食品の前記第１の部分に取り付けられた装飾品と、
前記非食品の前記第２の部分に取り付けられた装飾基部とを備える、装飾具。
【請求項２】
前記装飾品および前記装飾基部の少なくとも１つが、前記非食品の前記中間部まで延在しない、請求項１に記載の装飾具。
【請求項３】
前記装飾品および前記装飾基部の少なくとも１つが、前記非食品の前記中間部に接触しない、請求項１に記載の装飾具。
【請求項４】
前記装飾品および前記装飾基部の少なくとも１つがポリマー材料から作られる、請求項１に記載の装飾具。
【請求項５】
前記装飾品および前記装飾基部の少なくとも１つが着色可能である、請求項１に記載の装飾具。
【請求項６】
前記非食品が、前記装飾具全体を通って延在する中心線を有し、前記中心線に対して垂直に測定された前記装飾品の最長寸法対、前記中心線に対して垂直に測定された前記装飾基部の最長寸法の比率が約２：１未満である、請求項１に記載の装飾具。
【請求項７】
前記非食品が、前記装飾具全体を通って延在する中心線を有し、前記中心線に対して垂直に測定された前記装飾品の最長寸法対、前記中心線に対して垂直に測定された前記装飾基部の最長寸法の比率が、約０．９：１未満である、請求項１に記載の装飾具。
【請求項８】
前記中間部が区画を含む、請求項１に記載の装飾具。
【請求項９】
前記非食品が、塗布具およびボトルからなる群から選択される、請求項１に記載の装飾具。
【請求項１０】
ある材料を含み、第１の端部、第２の端部、および前記第１および第２の端部の間に位置する中間部を有し、前記第１の端部または前記第２の端部のいずれかが、前記第１の端部を通して前記材料を分配するための手段を含む、本体と、
前記本体の前記第１の端部に取り付けられた装飾品と、
前記本体の前記第２の端部に取り付けられた装飾基部とを備える、装飾塗布具。
【請求項１１】
前記装飾品および前記装飾基部の少なくとも１つが、スティックのりの前記本体の前記中間部まで延在しない、請求項１０に記載の装飾塗布具。
【請求項１２】
前記本体の第１の端部に取り付けるためのキャップをさらに備える、請求項１０に記載の装飾塗布具。
【請求項１３】
前記塗布具がキャップをさらに備え、前記装飾品が前記キャップに取り付けられる、請求項１０に記載の装飾塗布具。
【請求項１４】
前記材料が、接着剤、塗料、リップクリーム、および口紅からなる群から選択される、請求項１０に記載の装飾塗布具。
【請求項１５】
前記装飾品および前記装飾基部の少なくとも１つが、前記本体の第１および第２の端部にそれぞれ取り外し可能に取り付けられる、請求項１０に記載の装飾塗布具。
【請求項１６】
前記装飾品および装飾基部の少なくとも１つが、射出成形ポリマー、熱成形ポリマー、成形プラスチック、型打ち成形プラスチックまたは金属、および押出成形ポリマーから作られる、請求項１０に記載の装飾塗布具。
【請求項１７】
前記本体の前記中間部が、実質的に円筒状または実質的に多角形である、請求項１０に記載の装飾塗布具。
【請求項１８】
前記装飾品および装飾基部の少なくとも１つが着色可能である、請求項１０に記載の装飾塗布具。
【請求項１９】
前記塗布具が中心線を有し、前記塗布具の中心線に対して垂直に測定された前記装飾品の最長寸法対、前記塗布具の中心線に対して垂直に測定された前記装飾基部の最長寸法の比率が、約２：１未満である、請求項１０に記載の装飾塗布具。
【請求項２０】
前記塗布具が中心線を有し、前記塗布具の中心線に対して垂直に測定された前記装飾品の最長寸法対、前記塗布具の中心線に対して垂直に測定された前記装飾基部の最長寸法の比率が、約０．９：１未満である、請求項１０に記載の装飾塗布具。
【請求項２１】
第１の部分、遠位の第２の部分、および前記第１および第２の部分の間に位置する中間部を各々が含む少なくとも２つの非食品と、
前記少なくとも２つの非食品の前記第１の部分に各々が取り外し可能に取り付けられた少なくとも２つの異なる装飾品と、
前記非食品の前記第２の部分に各々が取り外し可能に取り付けられた少なくとも２つの異なる装飾基部とを備え、
前記少なくとも２つの異なる装飾品が、前記少なくとも２つの非食品に取り外し可能に取り付けられるとき、前記少なくとも２つの異なる装飾品が、前記少なくとも２つの非食品の前記中間部まで延在しない、キット。
【請求項２２】
前記少なくとも２つの異なる装飾品が、互いに交換可能である、請求項２１に記載のキット。
【請求項２３】
少なくとも１つの装飾品および１つの装飾基部を着色するための手段をさらに備える、請求項２１に記載のキット。
【請求項２４】
ある材料を含み、第１の端部、第２の端部、および前記第１および第２の端部の間に位置する中間部を有し、前記第１の端部または前記第２の端部のいずれかが、前記第１の端部を通して接着剤を分配するための手段を含む本体を提供するステップと、
装飾品および装飾基部を提供するステップと、
前記本体の前記第１の端部に前記装飾品を取り付けるステップと、
前記本体の前記第２の端部に前記装飾基部を取り付けるステップとを含む、塗布具の装飾方法。
【請求項２５】
前記装飾品が、前記本体の前記第１の端部に取り付けられた後、前記装飾品が、前記本体の中間部まで延在しない、請求項２４に記載の方法。
【請求項２６】
前記装飾品が、２つの部分、すなわち第１の部分および第２の部分として提供される、請求項２４に記載の方法。
【請求項２７】
前記第１の部分が少なくとも１つのピンを含み、前記第２の部分が少なくとも１つのボスを含み、前記ピンおよびボスが前記第１および第２の部分上で整列される、請求項２４に記載の方法。
【請求項２８】
前記第１および第２の部分が、前記装飾品を形成するために、スピン溶接または超音波溶接される、請求項２４に記載の方法。
【発明の詳細な説明】
【技術分野】
【０００１】
本発明は、装飾具およびその製造方法に関する。１つの実施形態において、本発明は、非食品がユーザーに装飾的かつ魅力的なものになるようにする非食品の装飾に関する。
【背景技術】
【０００２】
ユーザーにとってより魅力的なものになるように非食品を装飾したり、特定の季節や祝い事向けに非食品を装飾したりすることが望ましい場合がある。例えば、鉛筆の非筆記端部に飾り付き消しゴムや飾り具を付けて鉛筆を装飾することもできる。これらの装飾は市販されているが、他の装飾も必要とされている。
【発明の開示】
【課題を解決するための手段】
【０００３】
本発明は、ユーザーにとってより魅力的で興味をそそるものになるようにデバイスを装飾することに関する。１つの態様において、本発明は、（ａ）第１の部分、遠位の第２の部分、および第１および第２の部分の間に位置する中間部を含む非食品と、（ｂ）装飾具の第１の部分に取り付けられた装飾品と、（ｃ）装飾具の第２の部分に取り付けられた装飾基部とを備える装飾具に関する。
【０００４】
別の態様において、非食品は、塗布具であり、本発明は、（ａ）ある材料を含み、第１の端部、第２の端部、および第１および第２の端部の間に位置する中間部を有し、第１の端部が、キャップを保持するようにされ、第１の端部または第２の端部のいずれかが、第１の端部を通して材料を分配するための手段を含む、本体と、（ａ）キャップに取り付けられた装飾品と、（ｃ）本体の第２の端部に取り付けられた装飾基部とを備える、装飾塗布具に関する。
【０００５】
本発明のさらなる別の態様は、（ａ）第１の部分、遠位の第２の部分、および第１および第２の部分の間に位置する中間部を各々が含む少なくとも２つの非食品と、（ｂ）少なくとも２つの非食品の第１の部分に各々が取り外し可能に取り付けられた少なくとも２つの異なる装飾品と、（ｃ）非食品の第２の部分に各々が取り外し可能に取り付けられた少なくとも２つの異なる装飾基部とを備えるキットに関する。装飾品が、非食品に取り外し可能に取り付けられるとき、この装飾品が、非食品の中間部まで延在しない。このキットの１つの利点は、ユーザーが異なる装飾具を作り出せるように、異なる装飾品と装飾基部とを互いに交換可能なことである。このキットの別の利点は、ユーザーが装飾具をさまざまに入れ替え可能な装飾具の集合体を作りだせることである。
【０００６】
本発明のさらなる別の態様は、（ａ）ある材料を含み、第１の端部、第２の端部、および第１および第２の端部の間に位置する中間部を有し、第１の端部が、キャップを保持するようにされ、第１の端部または第２の端部のいずれかが、第１の端部を通して材料を分配するための手段を含む、本体を提供するステップと、（ｂ）装飾品および装飾基部を提供するステップと、（ｃ）キャップに装飾品を取り付けるステップと、（ｄ）本体の第２の端部に装飾基部を取り付けるステップとを含む、塗布具の装飾方法に関する。
【０００７】
本発明は、ユーザーの興味をよりそそるものになるように、基体となっている非食品を装飾すること意図したものである。したがって、装飾は、非食品の特定の部分に取り付けられるものであって、基体となっている非食品全体を覆うものではない。非食品（例えば、スティックのり、ペイントスティック、口紅、リップクリームなどがあるが、これらに限定されるものではない）に取り付けられた装飾品および装飾基部は、非食品の中間部まで延在しない。
【０００８】
本発明は、添付の図面と関連して本発明のさまざまな実施形態の以下の詳細な説明を考慮しながら完全に理解されてもよい。
【０００９】
本発明は、さまざまな修正例および別の形態に修正可能であるが、本発明の細部は、図面に一例として示されており、以下、詳細に記載される。しかしながら、記載した特定の実施形態に本発明を限定することを意図したものではないことを理解されたい。そうではなく、本発明の趣旨および範囲内にあるすべての修正例、等価物、および代替物に範囲が及ぶことを意図したものである。
【発明を実施するための最良の形態】
【００１０】
図１は、本発明の１つの例示的な実施形態を示す。デバイス１０は、非食品１２を収容し、この非食品１２は、筆記用具（ペン、マーカー、クレヨンなど）、接着剤、塗料、口紅、およびリップクリームなどであるが、これらに限定されるものではない用品の塗布具、木製製品（ブロックおよびシリンダを含むが、これらに限定されるものではない）、プラスチック製品（ボトルを含むが、これらに限定されるものではない）、および金属製品を含むが、これらに限定されるものではない任意のタイプのものでよい。非食品は、装飾品２０によって覆われた第１の部分（図示せず）を有する。非食品は、第２の遠位部分、すなわち、装飾基部２２によって覆われ、第１の部分から離れた位置にある第２の部分（図示せず）を有する。装飾品および／または装飾基部は、第１の部分または第２の部分をそれぞれ完全に覆うか、またはその一部のみを覆うものである。非食品は、中間部１４を有する。１つの実施形態において、中間部は、用品または材料を保持するための少なくとも１つの区画を含む。
【００１１】
図１は、非食品の中間部分が実質的に円筒状であることを示すが、中間部が他の形状のものであることも本発明の範囲内である。例えば、中間部の断面は、円形でも、直径が異なるものでもよい。中間部の断面は、三角形、四角形、矩形などの任意の多角形であっても、星形、月形であってもよい。形状の組み合わせを使用することもできる。中間部の断面の形状および大きさは、第１および第２の部分の断面の形状および大きさと同じものであっても、異なるものであってもよい。
【００１２】
１つの実施形態において、装飾品および装飾基部の少なくとも１つが、非食品の中間部まで延在することはない。「〜まで延在する」という用語は、一般に、装飾が、中間部に達しない程度の長さのものであるという意味である。別の実施形態において、装飾品および装飾基部の少なくとも１つが、非食品の中間部に接触しない。
【００１３】
図２は、非食品が塗布具の場合の本発明の別の例示的な実施形態を示す。塗布具４０は、材料４４を収容する、本体４２およびキャップ５２を有する。本体は、第１の端部４６、第２の端部５０、および第１および第２の端部の間に位置する中間部４８を含む。図２の実施形態において、参照番号４８ａおよび４８ｂは、中間部４８と第１および第２の端部とを線引きする。本体の第１の端部は、キャップ５２を保持するようにデザインされる。材料４４は、任意の粘性、柔軟性、または研摩性のある物質でありうる。実例は、接着剤、塗料、リップクリーム、および口紅を含むが、これらに限定されるものではない。材料４４が接着剤の場合、塗布具は、典型的に、スティックのりと呼ばれる。
【００１４】
１つの実施形態において、接着剤は、連邦危険物表示法に規定されたような無毒のものであり、ＡＳＴＭ  Ｄ−４２３６に適合する。別の実施形態において、接着剤は、永久接着剤（ｐｅｒｍａｎｅｎｔ  ａｄｈｅｓｉｖｅ）である。本願明細書で使用する場合、「永久接着剤」という用語は、一般に、接着剤がターゲット表面（例えば、紙、布、または写真など）に塗布され、その表面が基材に適用されたとき、ターゲット表面と基材との間の接着が、少なくとも一方または他方にダメージを与えることなく、互いから取り外すことができない強度のものであることを意味する。別の実施形態において、接着剤は、再配置可能接着剤（ｒｅｐｏｓｉｔｉｏｎａｂｌｅ  ａｄｈｅｓｉｖｅ）である。本願明細書で使用する場合、「再配置可能接着剤」という用語は、ターゲット表面が基材から取り外されたとき（またはその逆）、実質的にまったく、またはほとんど両方にダメージを与えることがないことを意味する。さらなる別の実施形態において、接着剤は、フォトセーフ（ｐｈｏｔｏ  ｓａｆｅ）のものである。さらなる別の実施形態において、接着剤は、耐水洗性のものである。
【００１５】
以下、図２を再度参照すると、キャップに取り付けられていない状態が示された装飾品６０は、塗布具のキャップに取り付けるための穴（図示せず）を装飾品の底部に含む。装飾品は、組み立てられると、キャップ全体またはキャップの一部分のみを覆ってもよいが、本体の中間部まで延在するものではない。１つの実施形態において、装飾キャップは、本体の中間部と接触した状態にならない。スティックのりの第２の端部に取り付けられていない状態が示された装飾基部６２は、塗布具の本体の第２の端部に取り付けるための穴を含む。装飾基部は、組み立てられると、塗布具の第２の部分全体または本体の一部分のみを覆ってもよい。１つの実施形態において、装飾基部は、中間部まで延在しない。別の実施形態において、装飾基部は、本体の中間部と接触した状態にならない。装飾品および装飾基部を塗布具に取り付けて、装飾塗布具が得られることで、ユーザーにとってさらに美的に興味をそそるものになりうる。
【００１６】
図２の装飾品は、塗布具の第１の端部に取り付けられると、塗布具または非食品の重心がシフトするデザインのものであってもよい。塗布具の装飾基部の幅が十分に広くなければ、塗布具は、意図した位置に配置されるときに転倒してしまうことがある。１つの実施形態において、塗布具が転倒しないように、デザインを目的として装飾品の寸法と装飾基部の寸法との比率を使用することもできる。図２に示すように、塗布具は、装飾ヘッドおよび装飾基部を通って延びた、参照番号６５として示す中心線を有する。すなわち、塗布具の中心線は、塗布具全体を通って延びる。塗布具の中心線に対して垂直に描かれた線６０ａは、中心線から装飾品の最も遠い点までの最長距離を表す。また、塗布具の中心線に対して垂直に描かれている線６２ａは、中心線から装飾基部の最も遠い点までの最長距離を表す。１つの実施形態において、６０ａ対６２ａの距離の比率は、２：１未満である。別の実施形態において、６０ａ対６２ａの距離の比率は、０．９：１未満である。
【００１７】
図３は、第１の部品７０および第２の部品７６を有する例示的な装飾品を示す。第１の部品７０は、少なくとも１つのピン７２を有し、この特定の場合において、ピンは、非食品の第１の部分、または図２を参照すると、塗布具の本体の第１の端部が収まる穴７４を規定するリングに取り付けられる。第２の部品７６は、非食品の第１の部分または第１の端部、または図２を参照すると、塗布具の本体の第１の端部が収まる穴８０を規定するリングに取り付けられた少なくとも１つのボス７８を有する。ピンおよびボスは、それらが係合できるように、装飾品の第１および第２の部品上で整列される。装飾品の第１および第２の部品は、スピンまたは超音波溶接などのさまざまな方法を用いて、または接着剤や機械手段を用いて取り付けられる。１つの応用において、図３の装飾品は、溶接、接着手段、または機械手段によって塗布具のキャップに取り付けられる。
【００１８】
図４ａおよび図４ｂは、第１の部品９０および第２の部品９６を有する別の例示的な装飾品を示す。第１の部品９０は、少なくとも１つのピン９２を有し、この特定の場合において、ピンは、穴９４を規定するリングに取り付けられる。第２の部品９６は、穴１００を規定するリングに取り付けられた少なくとも１つのボス９８を有する。ピンおよびボスは、それらが係合できるように、装飾品の第１および第２の部品上で整列される。図４ｂは、穴１００の存在をさらに良好に示すための、装飾品の第２の部品の底面斜視図である。ある用途において、装飾品は、第１および第２の部品が取り付けられると、塗布具のキャップとして機能する。図３および図４は、装飾品が、概して水平方向に分割した部品を有することを示すが、他の平面を使用することもできる。例えば、装飾品の第１および第２の部品は、垂直方向に分割することができる。
【００１９】
図５は、第１の部品１０１が複数の穴１０５を有し、装飾ヘアピース１０３のピン１０４が、所望のデザインを達成するために、装飾品に他のアクセサリを追加できることを示す、さらなる別の例示的な装飾品を示す。
【００２０】
装飾品および装飾基部は、射出成形ポリマー、熱成形ポリマー、成形プラスチック、型打ち成形プラスチックまたは金属、および押出し成形ポリマーを含むが、これらの限定されるものではない種々の材料から作られうる。いくつかの例示的なポリマーは、ポリスチレン、耐衝撃性ポリスチレン、ポリエチレン、ポリウレタン、ゴム、およびエラストマーを含む。これらはまた、木、金属、またはセラミックなどの他の材料からも作られうる。装飾品および装飾基部は、１つのピースとして形成（例えば、射出成形）され、締まり嵌めで非食品または塗布具に取り付けられうる。装飾品および装飾基部は、図３、図４、および図５に示すように、複数の部品とともに作られた後に接合されうる。
【００２１】
１つの実施形態において、装飾品および装飾基部は、３歳未満の子どもの窒息の危険性を減らす規則を満たす大きさのものである。装飾品は、サイズに関するＡＳＴＭ  Ｄ−４２３６に適合する。１つの実施形態において、装飾品および装飾基部の少なくとも１つは、塗布具の第１の端部に永久に取り付けられる。すなわち、これらは、塗布具や非食品にダメージを与えることなく除去することができない。別の実施形態において、装飾品および装飾基部は、塗布具または非食品に取り外し可能に取り付けられる。すなわち、これらは、ユーザーが望むように、塗布具または非食品から取り外された後、再度取り付けられうる。
【００２２】
装飾品および装飾基部は着色可能であり、一般に言い換えれば、さまざまな供給源からの色を受け入れて保持することができる。例示的な色供給源は、マーカー、クレヨン、色鉛筆、水、または油性塗料を含むが、これらに限定されるものではない。この特徴により、ユーザーは、固有の作品を生み出すカスタムデバイスを作ることができる。
【図面の簡単な説明】
【００２３】
【図１】装飾品および装飾基部を有する１つの例示的な本発明のデバイスの斜視図である。
【図２】非食品がスティックのりの場合で、装飾品および装飾基部がスティックのりにまだ取り付けられていない場合の別の例示的な本発明のデバイスの分解斜視図である。
【図３】１つの例示的な装飾品の部品の斜視図である。
【図４】別の例示的な装飾品の部品の斜視図である。
【図５】さらなる別の例示的な装飾品の部品の斜視図である。
【図１】
2008524024.tif 000003
【図２】
2008524024.tif 000004
【図３】
2008524024.tif 000005
【図４ａ】
2008524024.tif 000006
【図４ｂ】
2008524024.tif 000007
【図５】
2008524024.tif 000008
【国際調査報告】
2008524024.tif 000009
2008524024.tif 000010
2008524024.tif 000011